(57)【特許請求の範囲】
【請求項１】
発光管と、
電気的に互いに直列に接続され且つ前記発光管と電気的に並列に接続されたバイメタル、強誘電体コンデンサ及び電流制限抵抗とを備えるセラミックメタルハライドランプであって、
前記発光管が、一対の電極を有する発光部と該発光部の対向位置に配置された一対のキャピラリーとを備え、
前記バイメタルが前記発光管の一方のキャピラリーの長手方向軸線と平行に配置されていて、該バイメタルの少なくとも一部が、該キャピラリーと位置的に並列に配置されており、
前記バイメタルは、前記発光部からの発光を遮ることがないように前記発光部の位置まで延長しないように配置され、
前記バイメタルの少なくとも一部は前記発光管の発光部と前記キャピラリーとの体積の差により形成された前記キャピラリーの周囲の空間内に配置される、セラミックメタルハライドランプ。
【請求項２】
請求項１のセラミックメタルハライドランプにおいて、
前記セラミックメタルハライドランプは、定格ランプ電力４５〜７２Ｗのランプである、セラミックメタルハライドランプ。
【請求項３】
請求項１又は２のセラミックメタルハライドランプにおいて、
パルス発生器の無い安定器を有するランプ点灯装置に用いることができる、セラミックメタルハライドランプ。
【発明の詳細な説明】
【技術分野】
【０００１】
本発明は、セラミックメタルハライドランプに関する。更に具体的には、本発明は、従来の異なる種類のランプが取り付けられていた照明器具に取り付け可能なセラミックメタルハライドランプに関する。
【背景技術】
【０００２】
高圧水銀ランプ、高圧ナトリウムランプ、メタルハライドランプ等を総称し、高輝度放電灯（以下、「ＨＩＤランプ」という。）と言う。ＨＩＤランプを点灯するためには、安定器が必要となる。一般に、高圧水銀ランプは、商用交流電源２００Ｖを使用する高圧水銀ランプ用安定器を使用して点灯することができる。
【０００３】
これに対し、高圧ナトリウムランプやメタルハライドランプは、始動時にパルスをかけて発光管内で絶縁破壊を生じさせるため、イグナイターと称するパルス発生器が必要となる。このため、安定器には、パルス発生器関連の回路（以下、単に「パルス発生器」という。）が内蔵されている。
【０００４】
また、従来の異なる種類のランプが取り付けられていた照明器具に取り付け可能な「レトロフィット」のランプには大きく分けて２つの市場がある。１つは、高圧水銀ランプ用安定器を使用して点灯するランプの市場である。他の１つは、高圧ナトリウムランプ用安定器を使用して点灯するランプの市場である。
【０００５】
高圧水銀ランプは安価なため広く普及しているが、発光効率は４５［ｌｍ／Ｗ］程度と低く、平均演色評価数Ｒａは約４０、相関色温度Ｔｃｐは約４１００［Ｋ］である。
【０００６】
一方高圧ナトリウムランプの発光効率は、８３［ｌｍ／Ｗ］程度と高圧水銀ランプより高効率だが、平均演色評価数Ｒａは、約２５と低く被照射物の色再現性が悪い。また相関色温度Ｔｃｐは約２１００［Ｋ］でオレンジ色の光となってしまう。
【０００７】
近年、発光管にセラミックを採用し、発光管内にさまざまな金属ハロゲン化物を封入することにより、発光効率と色味の両方を向上させることができるＨＩＤランプとして、セラミックメタルハライドランプが市場に投入されている。
【０００８】
しかし、一般的なセラミックメタルハライドランプは、ランプ電圧や始動に必要な始動パルスといった特性が、従来の高圧水銀ランプまたは高圧ナトリウムランプの特性とは異なっている。
【先行技術文献】
【特許文献】
【０００９】
【特許文献１】特開平11-96966号公報  特許文献１は、両端にニオビウムよりなる電極支持管が固定された透光性アルミナ管からなる発光管、強誘電体コンデンサ（ＦＥＣ）及び熱応動スイッチを備える高圧ナトリウムランプを開示する。
【特許文献２】特開2010-3414号公報  特許文献２は、発光管、ＦＥＣ及びバイメタルスイッチ１１を備えるメタルハライドランプを開示する。
【特許文献３】特開2005-26146号公報  特許文献３は、ランプ内始動器を備えるメタルハライドランプにおいて、発光管からの距離と熱応動スイッチの動作温度との関係を示す。
【特許文献４】特開2008-192475号公報  特許文献４は、セラミック機密容器を備えた発光管及び紫外線発生源を備える高圧放電ランプを開示する。
【特許文献５】特開2006-236919号公報  特許文献５は、発光管及び紫外線放射始動素子を備える高圧金属蒸気放電ランプを開示する。
【特許文献６】特開平6-96883号公報  特許文献６は、発光管とそれに並列に配置された外部補助導体と熱応動スイッチとを備える高圧ナトリウムランプを開示する。
【発明の概要】
【発明が解決しようとする課題】
【００１０】
そこで、高圧水銀ランプまたは高圧ナトリウムランプを取り付けていた照明器具に適用可能で、高圧水銀ランプ及び高圧ナトリウムランプよりも高効率、高演色、且つ自然な色合いのランプを提供することが要望されている。それを達成するために、高圧水銀ランプ８０Ｗ用安定器で点灯可能なランプにおいて、発光効率η≧１０５［ｌｍ／Ｗ］、Ｄｕｖ≦１０、平均演色評価数Ｒａ≧７０、相関色温度３０００≦Ｔｃｐ≦４０００［Ｋ］を目標として開発を進めている。
【００１１】
また、産業界では、ＣＯ2排出量の少ない燃料への転換やエネルギー使用量の削減が求められている。これに呼応して、照明業界でも、ランプの発光効率向上によるＣＯ2削減が求められている。電力消費量の少ない省エネのランプを開発することは、時代の要請でもある。
【００１２】
いずれの特許文献も、上記の要望や要請を達成することを目的とするものではなく、また、発光管の発光が発光管内部の素子等によって遮られるような状況を課題とするものではなく、特に、バイメタルスイッチの配置については何等の考慮も行っていない。
【課題を解決するための手段】
【００１３】
上記課題に鑑みて、本発明に係るセラミックメタルハライドランプは、発光管と、電気的に直列に接続されたバイメタル、強誘電体コンデンサ及び電流制限抵抗であって、前記発光管と電気的に並列に接続されたバイメタル、強誘電体コンデンサ及び電流制限抵抗とを備えるセラミックメタルハライドランプであって、前記発光管が、一対の電極を有する発光部と該発光部の対向位置に配置された一対のキャピラリーとを備え、前記バイメタルが前記発光管の一方のキャピラリーの長手方向軸線と平行に配置されていて、該バイメタルの少なくとも一部が、該キャピラリーと位置的に並列に配置されていることを特徴とする。
【００１４】
そのセラミックメタルハライドランプにおいて、前記キャピラリーと位置的に並列に配置されている前記バイメタルの少なくとも一部の長さは、バイメタルの開閉動作温度を考慮して決定することができる。
【００１５】
そのセラミックメタルハライドランプにおいて、前記キャピラリーと位置的に並列に配置されている前記バイメタルの少なくとも一部の長さは、前記強誘電体コンデンサのキュリー点温度を考慮して決定することができる。
【００１６】
そのセラミックメタルハライドランプにおいて、パルス発生器の無い安定器を有するランプ点灯装置に用いることができる。
【００１７】
そのセラミックメタルハライドランプにおいて、前記セラミックメタルハライドランプは、定格ランプ電力４５〜７２Ｗのランプであってもよい。
【発明の効果】
【００１８】
本発明によれば、パルス発生器が無い安定器で点灯可能で、高圧水銀ランプ及び高圧ナトリウムランプよりも高効率、高演色、且つ自然な色合いのセラミックメタルハライドランプを提供することができる。
【００１９】
更に、本発明によれば、発光管の発光が発光管内部の素子等によって遮られることがなく、再点灯が的確に行われるセラミックメタルハライドランプを提供することができる。
【図面の簡単な説明】
【００２０】
【図１Ａ】図１Ａは、本発明の一実施形態に係るセラミックメタルハライドランプの正面図である。
【図１Ｂ】図１Ｂは、図１Ａのセラミックメタルハライドランプの底面図である。
【図１Ｃ】図１Ｃは、図１Ａのセラミックメタルハライドランプの背面図である。
【図２】図２は、図１Ａ、図１Ｂ及び図１Ｃに示すセラミックメタルハライドランプの回路図である。
【図３】図３は、図１Ａに示すセラミックメタルハライドランプのＦＥＣのヒステリシス特性を説明するための図である。
【図４】図４は、図１Ａに示すセラミックメタルハライドランプの始動及び再始動動作を説明するための図である。
【図５】図５は、本発明の他の実施形態に係るセラミックメタルハライドランプの正面図である。
【発明を実施するための形態】
【００２１】
以下、添付図面を参照しながら、本発明の一実施形態に係るセラミックメタルハライドランプについて説明する。なお、全図において、各部材の厚さ、長さ、形状、部材同士の間隔、隙間等は、理解の容易のために、適宜、拡大・縮小・変形・簡略化等を行っているため、本発明は図面の形状等に限定されるものではない。図の説明の際の上下・左右の表現は、説明の便宜上、その図を鉛直面内に置いた状態でのその図面の面に沿った方向を表すものとする。また、異なる図面において、同じ部材には同じ参照符号を付し、場合に応じて説明を省略する。
【００２２】
［セラミックメタルハライドランプ］
（構成）
本発明の一実施形態に係るセラミックメタルハライドランプ１０は、定格ランプ電力が４５Ｗから７２Ｗランプのように比較的小型のランプを対象とする。
【００２３】
図１Ａから図１Ｃに示すように、セラミックメタルハライドランプ１０は、外球２０の内部に、発光管１を有する。発光管１は、内部に一対の電極を有していて中央に配置されている発光部１ａと両側の細い円筒状のキャピラリー１ｂ，１ｃとからなる。また、外部から電力の供給を受ける口金３０にステム２が固定されており、ステム２に２本の支柱３，４が支持されている。
【００２４】
発光管１のキャピラリー１ｂは右側に延びたリード線を介して支柱４に接続されており、発光管１のキャピラリー１ｃは左側に延びたリード線及び下方に延びる他のリード線７を介して支柱３に接続されている。
【００２５】
また、支柱４には、バイメタル８の一端が接続されており、バイメタル８の他端が、焦電流抵抗Ｒｃ１０の一端に接続されている。Ｒｃ抵抗１０の他端は、支柱３及び電流制限抵抗Ｒｄ１２の一端に接続されている。Ｒｄ１２は、始動時の異常放電によりＦＥＣが焼損することを防ぐための電流制限抵抗として機能する。
【００２６】
Ｒｄ１２の他端は、強誘電体コンデンサ（ＦＥＣ）９の一方の面の中央の接点に溶接されており、ＦＥＣ９の他方の面の中央の接点は、バイメタル８の端部と焦電流抵抗Ｒｃ１０の端部との間に接続されている。
【００２７】
ＦＥＣ９はパルス発生器で、機械的スタータに代わるものであり、ＦＥＣ９により位相制御が可能で、始動までの時間を短縮でき、光束維持率を高く維持できる。また、発生パルスの高さはＦＥＣの厚さによって変えられ、薄いほど高くできる。本実施例では０．７ｍｍの厚さのものを使用した。
【００２８】
支柱４には、ゲッタ１１が取り付けられている。ゲッタ１１は外球２０内の不純ガスを吸収するためのものである。また、支柱４の右端部にはマウント支持板５が取り付けられていて支柱４を所定の位置に保持する。
【００２９】
概略、始動後の安定した点灯状態では、支柱４から発光管１を経由して支柱３のルートで電流が流れる。
【００３０】
図１Ａ及び図１Ｃに示すように、バイメタル８は発光管１の長手方向の軸線と概略平行に配置されており、また、バイメタル８の一部は、発光管１のキャピラリー１ｃと並列に配置されている。詳しくは、後述するように、そのように、バイメタル８及び発光管１が配置されていることにより、発光管１の中央の太い発光部１ａと細いキャピラリー１ｃとの体積の差により形成された空間内にバイメタル８を配置することができ、さらに、バイメタル８が発光管１の発光部１ａからの発光を遮ることがないため、外球２０内の空間を有効に活用することができる。つまり、外球２０内の素子を接近させて配置でき、さらに、必要に応じて、外球２０自体を小型化することが可能になる。
【００３１】
（回路構成）
図２は、図１Ａ、図１Ｂ及び図１Ｃに示すセラミックメタルハライドランプの回路図である。図２において、一点鎖線２０から右側の回路が、図１Ａ、図１Ｂ及び図１Ｃに示すセラミックメタルハライドランプの外球２０内の素子の回路であり、一点鎖線２０から左側の安定器２２及び電源２４は、ランプの点灯装置の構成である。一点鎖線２０の位置において、ランプは口金３０を介して電気的に点灯装置に接続されている。
【００３２】
図２に示すように、発光管１は電源２４に直列に接続されており、発光管１は、バイメタル８、ＦＥＣ９及びＲｄ１２の直列回路と並列に接続されている。また、ＦＥＣ９及びＲｄ１２の直列回路にはＲｃが並列に接続されている。
【００３３】
バイメタル８は、通常は、閉じていて、周囲の温度が所定の温度になると開く。周囲の温度は発光管１の点灯によって上昇する。
【００３４】
始動時には、ＦＥＣ９の作用により電源回路に発生した高電圧パルスが支柱４から発光管４１に印加される。そうすると、発光管内で絶縁破壊が起こり、アーク放電が発生して、発光管１が点灯する。発光管１の熱によりバイメタル８が開くと、このルートは遮断されて安定した点灯状態になる。消灯してランプが冷えると、バイメタル８は閉じて、所定時間経過すると、再始動の準備が整う。
【００３５】
（ＦＥＣ）
ＦＥＣは、印加電圧と分極との関係が非線形であり、正弦波などの印加電圧を交番させて逆電圧にしたときでも残留分極があるため、図３の上の図に示すように、ヒステリシスカーブを描く。この特性を利用してＦＥＣをスイッチング素子としてパルス電圧を発生することができる。つまり、図３の下の図に示すように、ＦＥＣに交流電圧を加えると、半サイクルごとに急激な電流変化（dI/dt）が生じてパルス電圧が発生する。
【００３６】
（ランプの動作）
図４は、図１Ａ乃至図１Ｃに示すセラミックメタルハライドランプ１０の始動及び再始動動作を説明するための図である。
【００３７】
図４の下側に示す丸で囲んだ１から１１の時間の流れに沿って説明をする。以下において、丸で囲んだ数字を時間１、時間２・・・等と表現する。
【００３８】
時間１
この時間では、外球２０内は、室温と同じであり「常時点灯温度」には達していない。電源を投入すると、バイメタル８は室温では閉じているため、発光管１の両端及びＦＥＣ９の端子間に電源電圧がかかる。これにより、ＦＥＣが、交流電源の電圧変化に同期して発振するとともに、充電と放電とを繰り返し、安定器２２にインダクタンスに比例した高電圧パルスを発生させる。この際、ＦＥＣは、発振による自己発熱により、温度がゆっくり上昇する。
【００３９】
時間２
ランプが点灯し、外球２０内の温度が上昇する。発光管１からの熱放射及び発光管１のキャピラリー１ｃからの熱伝導により、ＦＥＣ９の温度及びバイメタル８の温度が上昇する。
【００４０】
時間３
ＦＥＣ９の温度がキュリー点（約９０°Ｃ）を越えると、ＦＥＣ９が発振しなくなり高電圧パルスが発生されなくなる。
【００４１】
時間４
次に、バイメタル８の温度が「開閉動作温度」を越えるとバイメタルが開き、ＦＥＣ９の端子間の電圧がゼロＶになる。なお、バイメタル８の温度が開閉動作温度を越える時間は、ＦＥＣ９の温度がキュリー点を越える前の時間であってもよい。これは、バイメタル８の配置の変更によって変えることができる。
【００４２】
時間５
電源を切断する。ランプが消灯し、各素子の温度が下降する。
【００４３】
時間６
時間５から数秒後に電源の再投入を試みる。電源電圧は発光管１の両端に印加されるが、バイメタル８の接点が開のため、ＦＥＣ９に電圧が印加されない。このため、発光管１は消灯したままであり、各素子の温度は下がり続ける。
【００４４】
時間７
ＦＥＣ９の温度がキュリー点以下に下がる。バイメタル８の温度は開閉動作温度より高い。つまり、バイメタル８の接点は開いている。このため、この時点で電源を再投入してもＦＥＣ９に電圧がかからないため、ＦＥＣ９は発振しない。
【００４５】
時間８
バイメタル８の温度が開閉動作温度より低くバイメタルの接点が閉じている。このため、電源を再投入すると、ＦＥＣ９に電圧がかかり、ＦＥＣ９が発振して安定器２２にインダクタンスに比例したパルスが発生する。
【００４６】
時間９
発光管１が点灯し、各素子の温度が再び上昇する。
【００４７】
時間１０
バイメタル８の温度が開閉動作温度を越えるため、バイメタルの接点が開となり、高電圧パルスは発生しなくなる。
【００４８】
時間１１
ＦＥＣ９の温度がキュリー点を越えるが、既にバイメタルの接点が開となっているので、特に変化はない。
【００４９】
（考察）
バイメタル８の開閉は、バイメタル片の温度が開閉動作温度を越えるか否かで決定される。バイメタル片の温度は、発光管１の特に発光部１ａの熱放射及び発光管１のキャピラリー１ｃからの熱伝導によって引き起こされる。特に、バイメタル８と発光管１の特に発光部１ａとの距離によって定まる。
【００５０】
一方、バイメタル８と発光管１の特に発光部１ａとの距離が小さい場合には、再点灯時において、ＦＥＣ９がキュリー点温度より高い状態でバイメタル８の接点が閉じたとしても、ＦＥＣ９はパルス発生に寄与しないため、発光管１は点灯することができない。
【００５１】
従って、バイメタル８と発光管１の特に発光部１ａとの距離は重要な要素である。
【００５２】
［他の実施形態］
図５は、本発明の他の実施形態に係るセラミックメタルハライドランプ１００の正面図である。
【００５３】
図１Ａ等に示すセラミックメタルハライドランプ１０の外球２０は円筒形状であるのに対し、セラミックメタルハライドランプ１００の外球５０は曲面を有するやや膨張した形状である点で相違する。他の素子の構成は同じである。
【００５４】
セラミックメタルハライドランプ１００の外球５０は、セラミックメタルハライドランプ１０の外球２０よりも広い空間を有するが、セラミックメタルハライドランプ１００においても、バイメタル８が発光管１の発光を遮ることはない。
【００５５】
以上、本発明に係る２つの実施形態のセラミックメタルハライドランプについて説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【００５６】
１０，１００・・・セラミックメタルハライドランプ
１・・・発光管
１ａ・・・発光部
１ｂ，１ｃ・・・キャピラリー
２・・・ステム
３，４・・・支柱
５・・・マウント支持板
８・・・バイメタル
９・・・ＦＥＣ
１０・・・Ｒｃ
１１・・・ゲッタ
１２・・・Ｒｄ
２０，５０・・・外球
【図１Ａ】
0005761558.tif 000002
【図１Ｂ】
0005761558.tif 000003
【図１Ｃ】
0005761558.tif 000004
【図２】
0005761558.tif 000005
【図３】
0005761558.tif 000006
【図４】
0005761558.tif 000007
【図５】
0005761558.tif 000008